【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
中央ノードと、データリンク層および物理層を実行する少なくとも１つのリモートノードとを含むイーサネット（登録商標）受動光ネットワーク（ＥＰＯＮ）内の伝送を制御する方法であって、該方法は、
リモートノードの該物理層で、該リモートノードの該データリンク層から通信したワードを受信することであって、該ワードがデータワードまたはアイドルワードであり得る、ことと、
送信機が該ワードを送信可能になる前に、該ワードを所定量の時間遅延することであって、それにより、該送信機をオンまたはオフにする時間を提供する、ことと、
該受信したワードの内容に基づいて該送信機をオンまたはオフにすること
を包含する、方法。
【請求項２】
前記受信したワードの内容に基づいて送信機をオンまたはオフにすることが、該送信機の電源が現在オフであり、該受信したワードがデータワードである場合に、該送信機をオンにすることを含む、請求項１に記載の方法。
【請求項３】
前記受信したワードの内容に基づいて送信機をオンまたはオフにすることが、該送信機の電源が現在オンであり、連続する受信したアイドルワードの数が所定の数以上の場合に、該送信機をオフにすることを含む、請求項１に記載の方法。
【請求項４】
前記ワードを所定量の時間遅延することが、
先入れ先出し（ＦＩＦＯ）待ち行列に該ワードをバッファすることと、
該ＦＩＦＯ待ち行列にバッファした各ワードを、該ＦＩＦＯ待ち行列の先頭に向かって定期的にシフトすることと、
該ＦＩＦＯ待ち行列の先頭のワードを定期的に削除することと
を含む、請求項１に記載の方法。
【請求項５】
レーザターンオン時間、自動利得制御（ＡＧＣ）時間およびデータ・クロックリカバリ（ＣＤＲ）時間に基づいて、前記ワードを遅延する時間量を決定することをさらに包含する、請求項１に記載の方法。
【請求項６】
前記受信したワードがデータワードの場合は、前記方法は、前記物理層で受信された現在のデータフレームの直後に、別のデータフレームを前記データリンク層が一時的に送信しないようにすることであって、それによって、十分な数のアイドルワードをデータフレームの間に挿入可能にする、ことをさらに包含する、請求項１に記載の方法。
【請求項７】
前記物理層で受信された連続するアイドルワードの数が十分にある場合は、前記方法は、前記データリンク層に、別のデータフレームを該物理層へと送信可能にすることをさらに包含する、請求項１に記載の方法。
【請求項８】
中央ノードと、データリンク層および物理層を実行する少なくとも１つのリモートノードとを含むイーサネット（登録商標）受動光ネットワーク（ＥＰＯＮ）内の伝送を制御する装置であって、該装置は、
リモートノードの該物理層で、該リモートノードの該データリンク層から通信したワードを受信するように構成された受信機構であって、該ワードがデータワードまたはアイドルワードであり得る、受信機構と、
送信機がワードを送信可能になる前に、該ワードを所定量の時間遅延することにより、該送信機をオンまたはオフにする時間を提供するように構成された遅延機構と、
該受信したワードの内容に基づいて、該送信機をオンまたはオフにするように構成された制御機構と
を備える、装置。
【請求項９】
前記受信したワードの内容に基づいて前記送信機をオンまたはオフにする間において、該送信機の電源が現在オフであり、該受信したワードがデータワードである場合に、前記制御機構が該送信機をオンにするように構成される、請求項８に記載の装置。
【請求項１０】
前記受信したワードの内容に基づいて前記送信機をオンまたはオフにする間において、該送信機の電源が現在オフであり、連続する受信したアイドルワードの数が所定の数以上の場合に、前記制御機構が該送信機をオンにするように構成される、請求項８に記載の装置。
【請求項１１】
前記ワードを所定量の時間遅延する間に、前記遅延機構が、
先入れ先出し（ＦＩＦＯ）待ち行列に該ワードをバッファして、
該ＦＩＦＯ待ち行列にバッファした各ワードを、該ＦＩＦＯ待ち行列の先頭に向かって定期的にシフトし、
該ＦＩＦＯ待ち行列の先頭のワードを定期的に削除する
ように構成される、請求項８に記載の装置。
【請求項１２】
前記遅延機構が、レーザターンオン時間、自動利得制御（ＡＧＣ）時間およびデータ・クロックリカバリ（ＣＤＲ）時間に基づいて、前記ワードを遅延する時間量を決定するようにさらに構成される、請求項８に記載の装置。
【請求項１３】
前記受信したワードがデータワードの場合は、前記遅延機構が、前記物理層で受信された現在のデータフレームの直後に、別のデータフレームを前記データリンク層が一時的に送信しないようにすることにより、十分な数のアイドルワードをデータフレームの間に挿入可能にするようにさらに構成される、請求項８に記載の装置。
【請求項１４】
前記物理層で受信された連続するアイドルワードの数が十分にある場合は、前記遅延機構が、前記データリンク層に、別のデータフレームを該物理層へと送信可能にさせるようにさらに構成される、請求項８に記載の装置。
【請求項１５】
中央ノードと、データリンク層および物理層を実行する少なくとも１つのリモートノードとを含むイーサネット（登録商標）受動光ネットワーク（ＥＰＯＮ）内の伝送を制御する方法をコンピュータで実行する際に、コンピュータに実行させる命令を格納するコンピュータ読取可能記憶媒体であって、該方法が、
リモートノードの該物理層で、該リモートノードの該データリンク層から通信したワードを受信することであって、該ワードがデータワードまたはアイドルワードであり得る、ことと、
送信機が該ワードを送信可能になる前に、該ワードを所定量の時間遅延することであって、それにより、該送信機をオンまたはオフにする時間を提供する、ことと、
該受信したワードの内容に基づいて該送信機をオンまたはオフにすること
を包含する、コンピュータ読取可能記憶媒体。
【請求項１６】
前記受信したワードの内容に基づいて送信機をオンまたはオフにすることが、該送信機の電源が現在オフであり、該受信したワードがデータワードである場合に、該送信機をオンにすることを含む、請求項１５に記載のコンピュータ読取可能記憶媒体。
【請求項１７】
前記受信したワードの内容に基づいて送信機をオンまたはオフにすることが、該送信機の電源が現在オンであり、連続する受信したアイドルワードの数が所定の数以上の場合に、該送信機をオフにすることを含む、請求項１５に記載のコンピュータ読取可能記憶媒体。
【請求項１８】
前記ワードを所定量の時間遅延することが、
先入れ先出し（ＦＩＦＯ）待ち行列に該ワードをバッファすることと、
該ＦＩＦＯ待ち行列にバッファした各ワードを、該ＦＩＦＯ待ち行列の先頭に向かって定期的にシフトすることと、
該ＦＩＦＯ待ち行列の先頭のワードを定期的に削除することと
を含む、請求項１５に記載のコンピュータ読取可能記憶媒体。
【請求項１９】
レーザターンオン時間、自動利得制御（ＡＧＣ）時間およびデータ・クロックリカバリ（ＣＤＲ）時間に基づいて、前記ワードを遅延する時間量を決定することをさらに包含する、請求項１５に記載のコンピュータ読取可能記憶媒体。
【請求項２０】
前記受信したワードがデータワードの場合は、前記方法は、前記物理層で受信された現在のデータフレームの直後に、別のデータフレームを前記データリンク層が一時的に送信しないようにすることであって、それによって、十分な数のアイドルワードをデータフレームの間に挿入可能にする、ことをさらに包含する、請求項１５に記載のコンピュータ読取可能記憶媒体。
【請求項２１】
前記物理層で受信された連続するアイドルワードの数が十分にある場合は、前記方法は、前記データリンク層に、別のデータフレームを該物理層へと送信可能にさせることをさらに包含する、請求項１５に記載のコンピュータ読取可能記憶媒体。